【手続補正書】
【提出日】平成17年3月7日(2005.3.7)
【手続補正１】
【補正対象書類名】明細書
【補正対象項目名】特許請求の範囲
【補正方法】変更
【補正の内容】
【特許請求の範囲】
【請求項１】
ユーザの個人用デジタル写真画像を表示するシステムであって、
ビデオゲームを再生するゲームコンソールであって、該ゲームコンソールを広域ネットワークに接続する通信手段を含むゲームコンソールと、
前記コンソールに接続されて前記ビデオゲームを前記ユーザに表示する家庭用視覚表示装置と、
前記広域ネットワークに接続された恒久的データ記憶装置であって、前記ユーザのデジタル写真画像データを記憶し、かつ前記ユーザのデジタル写真画像データの一部または全部を前記ゲームコンソールに送信する送信手段を有する恒久的データ記憶装置と、
閲覧アプリケーションプログラムを含むポータブルデジタルデータ記憶装置であって、前記閲覧アプリケーションプログラムは、前記ユーザのデジタル写真画像データを前記恒久的データ記憶装置から前記通信手段および前記広域ネットワークを介して受信する通信プログラムを有し、かつ前記ユーザのデジタル写真画像データを前記ゲームコンソールが受信したときに前記家庭用視覚表示装置に前記デジタル写真画像データを表示するよう前記ゲームコンソールを構成するような構成である、ポータブルデジタルデータ記憶装置と、
を備えているシステム。
【請求項２】
前記家庭用視覚表示装置はテレビである、請求項１に記載のシステム。
【請求項３】
前記閲覧アプリケーションプログラムは、前記デジタル写真画像データの多数の画像を同時に前記ユーザに表示できるように構成され、前記ゲームコンソールのゲームコントローラは、前記ユーザが前記多数の画像を通してナビゲートすることができるように構成されている、請求項１に記載のシステム。
【請求項４】
前記多数の画像はサムネイル画像の形式である、請求項３に記載のシステム。
【請求項５】
前記閲覧アプリケーションプログラムは、前記家庭用視覚表示装置における前記ユーザのデジタル写真画像データの表現を変更する、ユーザが選択可能な複数のデジタル効果アルゴリズムを備えている、請求項１に記載のシステム。
【請求項６】
前記ポータブルデジタルデータ記憶装置は、前記ユーザのデジタル写真画像データを異なる方法で前記家庭用視覚表示装置に表示する異なるアルゴリズムをそれぞれ提供する、ユーザが選択可能な複数の閲覧アプリケーションプログラムを備えている、請求項１に記載のシステム。
【請求項７】
前記各プログラムは、前記ユーザのデジタル写真画像データの様々な写真画質向上を提供するような構成である、請求項６に記載のシステム。
【請求項８】
前記通信プログラムは遠方の相手にユーザ選択コマンドを送信するような構成である、請求項１に記載のシステム。
【請求項９】
前記ゲームコンソールは、ユーザの音声を受信して音声データにデジタル化する手段を有し、前記通信プログラムは、前記音声データを前記広域ネットワークを介して遠方の相手に送信するような構成である、請求項１に記載のシステム。
【請求項１０】
前記通信プログラムは、前記通信手段を介して送信されるデータの圧縮と、前記通信手段を介して受信されるデータの解凍を実施するような構成である、請求項１に記載のシステム。
【請求項１１】
前記通信プログラムは、前記ゲームコンソールと前記遠方の相手との間の二方向通信を可能にするアプレットを備えている、請求項１に記載のシステム。
【請求項１２】
前記アプレットは、送信されるデータに関連するパスワードをユーザが入力することで、前記通信手段により送信されるデータの一部または全部にパスワード保護アクセスできるような構成である、請求項１１に記載のシステム。
【請求項１３】
前記受信データはパスワード保護され、前記アプレットは、前記受信データに関連する正しいパスワードをユーザが入力すると前記受信データの一部または全部にアクセスできるような構成である、請求項１１に記載のシステム。
【請求項１４】
ビデオゲームを再生するさらなるゲームコンソールであって、該さらなるゲームコンソールを前記広域ネットワークに接続するさらなる通信手段を含むさらなるゲームコンソールと、
前記コンソールに接続されて遠方の相手に前記ビデオゲームを表示するさらなる家庭用視覚表示装置と、
さらなる閲覧アプリケーションプログラムを含むさらなるポータブルデジタルデータ記憶装置であって、前記さらなる閲覧アプリケーションプログラムは、前記ユーザのデジタル写真画像データを前記恒久的データ記憶装置から前記さらなる通信手段および前記広域ネットワークを介して受信するさらなる通信プログラムを有し、かつ前記ユーザのデジタル写真画像データを前記さらなるゲームコンソールが受信すると前記さらなる家庭用視覚表示装置に前記ユーザのデジタル写真画像データを表示するよう前記さらなるゲームコンソールを構成するような構成である、さらなるポータブルデジタルデータ記憶装置と、
をさらに備えている、請求項１に記載のシステム。
【請求項１５】
前記さらなるゲームコンソールは、第三者の音声を受信し、音声データにデジタル化する手段を有し、前記さらなる通信プログラムは、前記音声データを、前記広域ネットワークを介して前記ユーザに送信するような構成である、請求項１４に記載のシステム。
【請求項１６】
前記さらなる通信プログラムは、前記さらなる通信手段を介して送信されるデータの圧縮と、前記さらなる通信手段を介して受信されるデータの解凍を実施するような構成である、請求項１４に記載のシステム。
【請求項１７】
前記さらなる通信プログラムは、前記第三者の前記さらなるゲームコンソールと前記ユーザの前記ゲームコンソールとの間の二方向通信を可能にするアプレットを備えている、請求項１４に記載のシステム。
【請求項１８】
受信データはパスワード保護され、前記アプレットは前記受信データに関連する正しいパスワードを前記第三者が入力すると前記受信データの一部または全部に対するアクセスを可能にするような構成である、請求項１７に記載のシステム。
【請求項１９】
ユーザの個人用デジタル写真画像を表示するシステムであって、
ビデオゲームを再生するゲームコンソールであって、該ゲームコンソールを広域ネットワークに接続するデータ通信モジュールを含むゲームコンソールと、
前記コンソールに接続されて前記ビデオゲームを前記ユーザに表示する家庭用視覚表示装置と、
前記広域ネットワークに接続された恒久的データ記憶装置であって、前記ユーザのデジタル写真画像データを記憶し、かつ前記ユーザのデジタル写真画像データの一部または全部を前記ゲームコンソールに送信する送信手段を有する恒久的データ記憶装置と、
ユーザ選択可能な複数の閲覧アプリケーションプログラムと、前記ユーザのデジタル写真画像データを前記恒久的データ記憶装置から前記通信手段および前記広域ネットワークを介して受信する通信プログラムとを含むポータブルデジタルデータ記憶装置であって、前記複数の閲覧アプリケーションプログラムは、前記ユーザのデジタル写真画像データを異なる方法で表示する異なるアルゴリズムを提供するよう構成され、かつ前記ユーザのデジタル写真画像データを前記ゲームコンソールが受信したときに前記家庭用視覚表示装置に前記デジタル写真画像データをユーザが選択した方法で表示するよう前記ゲームコンソールを構成するような構成である、ポータブルデジタルデータ記憶装置と、
を備えているシステム。
【請求項２０】
前記各プログラムは、前記ユーザのデジタル写真画像データの様々な写真画質向上を提供するような構成である、請求項１９に記載のシステム。
【請求項２１】
第１のユーザの個人用デジタル写真画像を表示するシステムであって、
ビデオゲームを再生するゲームコンソールであって、該ゲームコンソールを広域ネットワークに接続するデータ通信モジュールを含むゲームコンソールと、
前記コンソールに接続されて前記ビデオゲームを前記第１のユーザに表示する家庭用視覚表示装置と、
前記広域ネットワークに接続された恒久的データ記憶装置であって、前記第１のユーザのデジタル写真画像データを記憶し、かつ前記第１のユーザのデジタル写真画像データの一部または全部を前記ゲームコンソールに前記広域ネットワークを介して送信する送信手段を有する恒久的データ記憶装置と、
閲覧アプリケーションプログラムと、前記第１のユーザのデジタル写真画像データを前記恒久的データ記憶装置から前記通信手段および前記広域ネットワークを介して受信する通信プログラムとを含むポータブルデジタルデータ記憶装置であって、前記閲覧アプリケーションプログラムは、前記第１のユーザのデジタル写真画像データを前記ゲームコンソールが受信したときに前記家庭用視覚表示装置に前記デジタル写真画像データを表示するよう前記ゲームコンソールを構成するような構成である、ポータブルデジタルデータ記憶装置と、
ビデオゲームを再生するさらなるゲームコンソールであって、該さらなるゲームコンソールを前記広域ネットワークに接続するさらなるデータ通信モジュールを含むさらなるゲームコンソールと、
前記コンソールに接続されて第２のユーザに前記ビデオゲームを表示するさらなる家庭用視覚表示装置と、
さらなる閲覧アプリケーションプログラムを含むさらなるポータブルデジタルデータ記憶装置であって、前記さらなる閲覧アプリケーションプログラムは、前記第１のユーザのデジタル写真画像データを前記恒久的データ記憶装置から前記さらなる通信手段および前記広域ネットワークを介して受信するさらなる通信プログラムを有し、かつ前記第１のユーザのデジタル写真画像データを前記さらなるゲームコンソールが受信すると前記さらなる家庭用視覚表示装置に前記第１のユーザのデジタル写真画像データを表示するよう前記さらなるゲームコンソールを構成するような構成である、さらなるポータブルデジタルデータ記憶装置と、
を備えているシステム。
【請求項２２】
前記さらなるゲームコンソールは、前記第２のユーザの音声を受信し、音声データにデジタル化する手段を有し、前記さらなる通信プログラムは、前記音声データを、前記広域ネットワークを介して前記第１のユーザに送信するような構成である、請求項２１に記載のシステム。
【請求項２３】
前記さらなる通信プログラムは、前記さらなるデータ通信モジュールを介して送信されるデータの圧縮と、前記さらなるデータ通信モジュールを介して受信されるデータの解凍を実施するような構成である、請求項２１に記載のシステム。
【請求項２４】
前記さらなる通信プログラムは、前記第２のユーザの前記さらなるゲームコンソールと前記第１のユーザの前記ゲームコンソールとの間の二方向通信を可能にするアプレットを備えている、請求項２１に記載のシステム。
【請求項２５】
受信データはパスワード保護され、前記アプレットは前記受信データに関連する正しいパスワードを前記第２のユーザが入力すると前記受信データの一部または全部に対するアクセスを可能にするような構成である、請求項２１に記載のシステム。
【請求項２６】
ユーザの写真画像データを表示する方法であって、
前記ユーザの写真画像データをデジタル化するステップと、
前記ユーザのデジタル写真画像データを閲覧する閲覧アプリケーションプログラムを選択するステップと、
前記ユーザのデジタル写真画像データを、広域ネットワークに接続された恒久的データ記憶装置に記録するステップと、
前記選択された閲覧アプリケーションプログラムと通信プログラムを、ビデオゲームコンソールでの使用に相応しい形式を有するポータブルデジタルデータ記憶装置に記録するステップと、
前記ポータブルデジタルデータ記憶装置を読み出すことによって、前記選択された閲覧アプリケーションプログラムおよび前記通信プログラムをビデオゲームコンソール上で動作させるステップと、
前記通信プログラムを用いて前記広域ネットワークに接続することによって、前記ユーザのデジタル写真画像データを前記恒久的データ記憶装置から検索するステップと、
前記選択された閲覧アプリケーションプログラムを使用することによって、前記ビデオゲームコンソールに接続された家庭用視覚表示装置において前記検索されたデジタル写真画像データを表示するステップと、
を含む方法。